(57)【要約】【課題】手乾燥装置を備えた自動手洗装置を暑い夏場においても、また逆に寒い冬場においても快適に使用できるようにする。【解決手段】手洗器１２の鉢部３２に向けて手乾燥用の風を吹き出す吹出口３６と、送風機を内蔵し乾燥用の風を送り出す乾燥機本体３５及びそれらを連絡する送風管７４を備え、乾燥機本体３５から送り出した風を吹出口３６から吹き出して使用者の手を乾燥させる手乾燥装置１０８において、暖房用の温風の吹出口１１０と、冷風の吹出口１１２とを手乾燥用の風の吹出口３６とは別々に設けて、それぞれを乾燥機本体３５に温風用配管１１４，冷風用配管１１６を介して連絡する。その温風用配管１１４の配管経路上には空気加熱用のヒータ１２０を設けるとともに、乾燥機本体３５からの風の供給先を温風用配管１１４側と冷風用配管１１６側との一方に切換可能な切換弁１１８を設けておく。【選択図】        図２
2006255233.tif 000002
【特許請求の範囲】
【請求項１】
手洗器等における鉢部等の水受凹部に向けて手乾燥用の風を吹き出す吹出口と、送風機を内蔵し乾燥用の風を送り出す乾燥機本体とを設けてそれらを送風管で連絡し、該乾燥機本体から送り出した風を該吹出口から吹き出して使用者の手を乾燥させるようになした手乾燥装置において
暖房用の温風の吹出口と冷風の吹出口とを、前記手乾燥用の風の吹出口とは別々に設けて、それぞれを前記乾燥機本体に対し温風用配管，冷風用配管にて連絡して、該温風用配管の配管経路上に空気加熱用のヒータを設けるとともに、該乾燥機本体からの風の供給先を該温風用配管側と冷風用配管側との一方に切換可能な切換手段を設けたことを特徴とする冷暖房機能付きの手乾燥装置。
【請求項２】
請求項１において、前記冷風用配管の配管経路上には、前記乾燥機本体からの空気を強制冷却する冷房ユニットが設けられており、前記冷風の吹出口から強制冷却した風を吹き出すようになしてあることを特徴とする冷暖房機能付きの手乾燥装置。
【発明の詳細な説明】
【技術分野】
【０００１】
この発明は送風機を内蔵した乾燥機本体から送り出した風を吹出口から吹き出して使用者の濡れた手を乾燥させる手乾燥装置、特に冷暖房機能付きの手乾燥装置に関する。
【背景技術】
【０００２】
従来、送風機を内蔵した乾燥機本体から乾燥用の風を送風管を通じて送り出し、吹出口から手洗器における鉢部（水受凹部）の側に向けて吹き出し、使用者の濡れた手を乾燥させる手乾燥装置が公知である。
例えば下記特許文献１，特許文献２にこの種の手乾燥装置を備えた自動手洗装置が開示されている。
【０００３】
図４はその具体例を示している。
同図において２００は自動手洗装置で、カウンター等取付基体２０２の上側において機能部ケース２０４の前面に石鹸液の吐出口２０６と、手洗水（温水）の吐水口２０８とが設けられており、人体検知センサ２１０，２１２による手感知に基づいて吐出口２０６から石鹸液を自動的に吐出し、また吐水口２０８から手洗用の温水を自動的に吐水するようになっている。
【０００４】
２１４はこの自動手洗装置２００に備えられた手乾燥装置で、手乾燥用の温風の吹出口２１６を備えている。
この吹出口２１６は石鹸液の吐出口２０６，吐水口２０８等とともに、取付基体２０２の上側において機能部ケース２０４の前面に設けられており、人体検知センサ２１８による手感知に基づいて、吹出口２１６から自動的に手洗器２２６の鉢部（水受凹部）２２８の側に向けて温風を吹き出し、使用者の濡れた手を乾燥させる。
【０００５】
この手乾燥装置２１４はまた、取付基体２０２の下側即ち鉢部２２８の下側に乾燥器本体２２０をキャビネット２３０内に有しており、送風機２２４にて送り出した空気をヒータ２１８の加熱作用で温風となして、これを送風管２２２を通じ吹出口２１６へと送るようになっている。
【０００６】
ところで夏場の暑い時期にこの自動手洗装置２００を使用する場合、使用者は暑い思いをしながら使用しなければならず、逆に冬場の寒い時期には、使用者は寒い思いをしながら自動手洗装置２００を使用することとなり、使用に際しての快適さの点で従来のものは不十分であった。
【０００７】
【特許文献１】実用新案登録第２５１９８８４号
【特許文献２】特開２００１−２０３３８号公報
【発明の開示】
【発明が解決しようとする課題】
【０００８】
本発明は以上のような事情を背景とし、手洗装置等手乾燥装置を備えた装置を暑い夏場においても、また逆に寒い冬場においても快適に使用することのできる手乾燥装置を提供することを目的としてなされたものである。
【課題を解決するための手段】
【０００９】
而して請求項１のものは、手洗器等における鉢部等の水受凹部に向けて手乾燥用の風を吹き出す吹出口と、送風機を内蔵し乾燥用の風を送り出す乾燥機本体とを設けてそれらを送風管で連絡し、該乾燥機本体から送り出した風を該吹出口から吹き出して使用者の手を乾燥させるようになした手乾燥装置において、暖房用の温風の吹出口と冷風の吹出口とを、前記手乾燥用の風の吹出口とは別々に設けて、それぞれを前記乾燥機本体に対し温風用配管，冷風用配管にて連絡して、該温風用配管の配管経路上に空気加熱用のヒータを設けるとともに、該乾燥機本体からの風の供給先を該温風用配管側と冷風用配管側との一方に切換可能な切換手段を設けたことを特徴とする。
【００１０】
請求項２のものは、請求項１において、前記冷風用配管の配管経路上には、前記乾燥機本体からの空気を強制冷却する冷房ユニットが設けられており、前記冷風の吹出口から強制冷却した風を吹き出すようになしてあることを特徴とする。
【発明の作用・効果】
【００１１】
以上のように本発明は、手乾燥装置に暖房用の温風の吹出口と、冷風の吹出口とを、手乾燥用の風の吹出口とは別々に設けて、それぞれを温風用配管，冷風用配管にて乾燥機本体に連絡し、また温風用配管の配管経路上に空気加熱用のヒータを設けるとともに、また乾燥機本体からの風の供給先を温風用配管側と冷風用配管側との一方に切換可能な切換手段を設けたもので、本発明によれば、冬場の寒い時期には温風の吹出口から温風を吹き出して暖房することができ、従って使用者は温かい中で手乾燥装置を備えた手洗装置等の装置を快適に使用することができる。
逆に夏場の暑い時期には、冷風の吹出口から冷風を吹き出すことで、使用者は涼しい思いをしながら快適に手洗装置等を使用することができる。
【００１２】
ここで上記冷風用配管の配管経路上には、乾燥機本体からの空気を強制冷却する冷房ユニットを設けておくことができる（請求項２）。
このようにすれば、冷風の吹出口から強制的に冷却した、より冷たい風を吹き出すことが可能となり、夏場においてはより快適に手洗装置等を使用できるようになる。
【００１３】
ここで暖房用の温風の吹出口は使用者の足元に、また冷風の吹出口は温風の吹出口よりも高位置に、またそれぞれを使用者の体に向けて設けておくことができる。
また温風用配管，冷風用配管は上記の送風管から分岐して延び出させておくことができる。
この場合において上記の切換手段はその分岐部に設けておくことができる。
【発明を実施するための最良の形態】
【００１４】
次に本発明を手乾燥装置を備えた自動手洗装置に適用した場合の実施形態を図面に基づいて以下に詳しく説明する。
図１において、１０は自動手洗装置（ここでは壁掛式）で、陶器製の手洗器１２と、その下部のキャビネット１４及び手洗器１２に装着された機能部ユニット１６とを有している。
機能部ユニット１６は機能部ケース（以下単にケースとする）１８を有しており、各種機能部がそこに内蔵されている。
ここでケース１８は、ケース本体としての下ケース１８Ａと、その上端の開口を閉鎖する上蓋１８Ｂとを有している。
【００１５】
手洗器１２の後部には、その後端縁に沿って立上る後壁部と、左右一対の側壁部とで囲まれた収納空間２８が形成されており、図２にも示しているようにその収納空間２８に上記の機能部ユニット１６が収納されている。
機能部ユニット１６は、その後面と側面とがそれぞれ後壁部と左右一対の側壁部とで囲われており、その前面が手洗器１２の鉢部（水受凹部）３２に向けて開放されている。
ここで収納空間２８の底部は、機能部ユニット１６を支持する平坦な支持部（取付基体）３０とされている。
尚図２において、３４はボウル部３２に設けられた排水口である。
【００１６】
図１に示しているように、機能部ユニット１６におけるケース１８の前面壁１０２には、石鹸液の吐出口４０と対応する人体検知センサ４６，手洗水の吐水口３８と対応する人体検知センサ４４、及び手乾燥用の温風を吹き出す吹出口３６と対応する人体検知センサ４２が設けられている。
ここで吐出口４０，吐水口３８及び吹出口３６は、それぞれケース１８の前面壁１０２から突出する形態で設けられている。
また吹出口３６は、吹出ノズル１００の先端に左右に細長いスリット状に形成されている。
【００１７】
この自動手洗装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
また吐水口３８の前方に手を差し出すと、人体検知センサ４４がこれを検知して吐水口３８から自動的に手洗水としての温水を吐水する。
更に吹出口３６の前方に濡れた手を差し出すと、人体検知センサ４２がこれを検知して吹出口３６から自動的に温風を吹き出し、濡れた手を乾燥させる。
【００１８】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００１９】
キャビネット１４にはまた、その内部且つ下部に石鹸液タンク６０が設けられており、そこに所定量の石鹸液（水石鹸液）が貯溜されるようになっている。
この石鹸液タンク６０からは給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
７０は空気ポンプで、この空気ポンプ７０により空気が給気管６８を通じて上記石鹸液の吐出口４０に向けて送られる。
石鹸液はこの空気とともに混合されてムース状とされ、吐出口４０からボウル部３２に向けて吐出される。
【００２０】
尚、ケース１８の前面壁１０２には石鹸液の補給を行うための補給口６５が設けられており、この補給口６５と石鹸液タンク６０とが補給管６６で連絡されている。
この補給口６５には引出容器４８が前後に出し入れ可能に設けられており、石鹸液の補給は、この引出容器４８を引き出した状態でその上面の注入口に対して石鹸液を注入することにより行う。
【００２１】
キャビネット１４の内部にはまた湯水の混合部５４と、温水の供給遮断を行う電磁弁５６とが設けられており、その混合部５４に対し冷水と湯とを供給する配管が接続されている。
混合部５４に供給された冷水と湯とは、ここで所定比率に混合されて適温の混合水とされ、電磁弁５６の開弁により給水管５８を通じて吐水口３８へと送られて、そこから鉢部３２に向けて吐水される。
【００２２】
キャビネット１４の内部には更に、手乾燥装置１０８における乾燥機本体３５が設けられている。
この乾燥機本体３５はケース７２の内部に送風機を収納している。
この乾燥機本体３５からは送風管７４が上向きに延び出しており、かかる送風管７４にて上記の吹出口３６と乾燥機本体３５とが連絡されている。
【００２３】
この乾燥機本体３５のケース７２には吸気口７６が設けられており、この吸気口７６から吸入された空気が送風機による送風作用及びヒータ８２による加熱作用で温風となって送風管７４を通じ吹出口３６へと送られる。
また図２に示しているように、吹出ノズル１００は吹出室ケース７８に一体的に設けられている。
【００２４】
尚、機能部ユニット１６の内部、即ちケース１８の内部には、自動手洗装置１０の動作制御をなす制御部が設けられている。
【００２５】
図２に示しているように、キャビネット１４の前面壁１４Ａには、使用者の足元に暖房用の温風を吹き出す温風の吹出口１１０と、これより高位置において使用者の正面に冷風を吹き出す冷風の吹出口１１２とが設けられており、それぞれが温風用配管１１４，冷風用配管１１６にて乾燥機本体３５に連絡されている。
これら温風用配管１１４，冷風用配管１１６はそれぞれ送風管７４から分岐して延び出しており、上記温風の吹出口１１０，冷風の吹出口１１２は、これら分岐管から成る温風用配管１１４，冷風用配管１１６及び送風管７４の一部を通じて乾燥機本体３５と連絡されている。
【００２６】
これら温風用配管１１４，冷風用配管１１６の送風管７４からの分岐部には、乾燥機本体３５からの送風先を温風用配管１１４及び冷風用配管１１６の何れかに切り換える切換弁１１８が設けられている。
ここで切換弁１１８は、手乾燥用の吹出口３６からの吹出しを行いつつ、送風先を温風の吹出口１１０又は冷風の吹出口１１２に切り換えるものとなしておくことができるが、その送風先を吹出口１１０，吹出口１１２及び吹出口３６の何れかとなしておくこともできる。
【００２７】
上記温風の吹出口１１０即ち温風用配管１１４の末端にはヒータ１２０が設けられており、乾燥機本体３５から温風用配管１１４に送り出された風が、このヒータ１２０の加熱作用で温風となって、吹出口１１０から使用者の足元に暖房用の温風として吹き出されるようになっている。
一方冷風の吹出口１１２からは、乾燥機本体３５から送り出された風がそのまま使用者の正面に吹き出される。
【００２８】
以上のような本実施形態によれば、冬場の寒い時期には温風の吹出口１１０から温風を吹き出して暖房することができ、従って使用者は温かい中で自動手洗装置１０を快適に使用することができる。
逆に夏場の暑い時期には、吹出口１１２から冷風を吹き出すことで、使用者は涼しい思いをしながら快適に自動手洗装置１０を使用することができる。
【００２９】
図３は本発明の他の実施形態を示したもので、この例は冷風用配管１１６の配管経路上に、乾燥機本体３５から送られた風を強制冷却する冷房ユニット１２２を設けた例である。
ここで冷房ユニット１２２としては、ベルチェ素子による冷却作用を利用したもの、或いは冷却媒体をコンプレッサで循環させてその冷却媒体による冷却作用を用いたものなど様々なものを用いることが可能である。
【００３０】
このようにすれば、冷風の吹出口から強制的に冷却した、より冷たい風を吹き出すことが可能となり、夏場においてはより快適に自動手洗装置１０を使用できるようになる。
【００３１】
以上本発明の実施形態を詳述したがこれはあくまで一例示であり、本発明はその趣旨を逸脱しない範囲において種々変更を加えた形態で構成可能である。
【図面の簡単な説明】
【００３２】
【図１】本発明の一実施形態の手乾燥装置を備えた自動手洗装置を示す図である。
【図２】同実施形態の側断面図である。
【図３】本発明の別の実施形態を示す図である。
【図４】従来の自動手洗装置の一例を示す図である。
【符号の説明】
【００３３】
１２  手洗器
３２  鉢部（水受凹部）
３５  乾燥機本体
３６  吹出口
１０８  手乾燥装置
１１０  吹出口
１１２  吹出口
１１４  温風用配管
１１６  冷風用配管
１１８  切換弁
１２０  ヒータ
１２２  冷房ユニット
【図１】
2006255233.tif 000003
【図２】
2006255233.tif 000004
【図３】
2006255233.tif 000005
【図４】
2006255233.tif 000006